(57)【要約】【課題】電波状態が悪い場所では、視聴可能チャンネルを探す必要があった。【解決手段】アンテナ１１と、このアンテナ１１に接続されたチューナ部４１と、このチューナ部４１の出力に接続されたベースバンド処理部４２と、このベースバンド処理部４２の出力が供給される表示器３１と、これらに接続された制御部４３とを備え、制御部４３から選局データを出力してチューナ部４１でテレビ放送波を順次スキャンし、その時受信した夫々のテレビ放送波の電波受信品質１０３の情報をベースバンド処理部４２から得るとともに、この電波受信品質１０３の情報を複数並べて表示器３１に表示するものである。これにより、視聴可能チャンネルを探す必要がなくなる。【選択図】図１
2005328246.tif 000002
【特許請求の範囲】
【請求項１】
テレビ放送波を受信して表示器に表示するとともに、携帯可能なケースに収納された携帯機器であって、前記携帯機器は前記テレビ放送波を受信するアンテナと、このアンテナに接続されるとともに、複数の前記テレビ放送波を受信して選局するチューナ部と、このチューナ部の出力に接続されたベースバンド処理部と、このベースバンド処理部の出力にドライバを介して接続された表示器と、前記チューナ部と前記ベースバンド処理部と前記ドライバに夫々接続された制御部とを備え、前記制御部から選局データを出力して前記チューナ部で前記テレビ放送波を順次スキャンし、その時受信した夫々の前記テレビ放送波の電波受信品質の情報を前記ベースバンド処理部から得るとともに、この電波受信品質の情報を複数個並べて前記表示器に表示する携帯機器。
【請求項２】
電波受信品質の情報を夫々のテレビ放送波毎に表示面積の大小或いは色彩を異にすることにより、その良否の程度を表示する請求項１に記載の携帯機器。
【請求項３】
制御部に入力部を接続し、この入力部を用いてスキャン操作を指定することにより、スキャンを開始する請求項２に記載の携帯機器。
【請求項４】
電波受信品質の情報として、ベースバンド処理部から出力されるＲＳＳＩ信号を用いる請求項３に記載の携帯機器。
【請求項５】
電波受信品質の情報として、ベースバンド処理部から出力されるＣ／Ｎ信号又はＳ／Ｎ信号を用いる請求項３に記載の携帯機器。
【請求項６】
入力部から選局操作で表示器に表示された表示の中から希望するテレビ放送波を指定する請求項３に記載の携帯機器。
【請求項７】
入力部からの停止操作で表示器をテレビ視聴前の状態に戻したのち、チューナ部の電源をオフする請求項６に記載の携帯機器。
【請求項８】
電波受信品質の情報は、帯状に表示する請求項３に記載の携帯機器。
【請求項９】
電波受信品質の情報は、サムネイル表示する請求項３に記載の携帯機器。
【請求項１０】
ベースバンド処理部に携帯電話送受信部が接続された請求項３に記載の携帯機器。
【請求項１１】
可動により重合状態と非重合状態を形成できる第１、第２のケースを用いるとともに前記第１のケース内に設けられた携帯電話送受信部及び制御部と、前記第２のケース内に設けられたチューナ部とベースバンド処理部及び表示器とが備えられた請求項１０に記載の携帯機器。
【請求項１２】
第１、第２のケースは、一端側のヒンジ部を介して開閉自在とし、前記第１のケースの前記第２のケース対向面には入力部を設け、前記第２のケースの前記第１のケース対向面には表示器が設けられた請求項１１に記載の携帯機器。
【請求項１３】
第１、第２のケースは、その側面部を介してスライド自在とし、前記第１のケースの前記第２のケース対向面には入力部を設け、前記第２のケースの前記第１のケースの対向面には表示器を設けた請求項１１に記載の携帯機器。
【請求項１４】
第１、第２のケースは、一端側のヒンジ部を介して平面方向に展開自在とし、前記第１のケースの前記第２のケース対向面には入力部を設け、前記第２のケースの前記第１のケース対向面には表示器を設けた請求項１１に記載の携帯機器。
【請求項１５】
第２のケースに設けられた表示器の裏側にはサブ表示器が設けられた請求項１１に記載の携帯機器。
【請求項１６】
第１、第２のケースの重合状態ではサブ表示器に表示され、前記第１、第２のケースを非重合状態にすると表示器に切り替えられる請求項１５に記載の携帯機器。
【発明の詳細な説明】
【技術分野】
【０００１】
本発明は、テレビ放送波を受信して表示器に表示するとともに、携帯可能なケースに収納された携帯機器に関するものである。
【背景技術】
【０００２】
以下、従来のテレビ放送波を受信する携帯機器について説明する。図１８は、従来の携帯機器の平面図である。図１８において、１は携帯可能なケースであり、このケース１の表面の上部には表示器２が配置され、下部にはキーボード３が配置されている。４は、ケース１の上端に設けられたアンテナである。
【０００３】
図１９は、この携帯機器のブロック図である。図１９において、テレビ放送波を受信するアンテナ４がチューナ部５に接続されている。このチューナ部５の出力は、ベースバンド処理部６に接続されており、その出力はドライバ７を介して表示器２に接続されている。また、８は制御部であり、チューナ部５とキーボード３とに接続されている。
【０００４】
以上のように構成された携帯機器において、キーボード３から視聴したいチャンネル（放送局名でも良い）を入力する。そうすると、制御部８から選局データが出力される。そうして、チューナ部５ではこの選局データに基づいて選局される。
【０００５】
即ち、アンテナ４から入力された複数のテレビ放送波の中から選択された放送局の信号のみが選局されるとともにベースバンド信号に変換される。その後ベースバンド処理部６で復調され、ビデオ信号に変換される。そして、このビデオ信号はドライバ７を介して表示器２に表示される訳である。即ち、キーボード３で選択したテレビ放送を表示器２で楽しむことができるようになっている。
【０００６】
なお、この出願の発明に関連する先行技術文献情報としては、例えば、特許文献１、特許文献２が知られている。
【特許文献１】特開２００３−０２３６６３号公報
【特許文献２】特開２００４−１１２８０６号公報
【発明の開示】
【発明が解決しようとする課題】
【０００７】
しかしながら携帯機器の性質上、テレビ電波の状況の悪い場所で視聴することも多くある。このような場所では希望するチャンネルを指定しても、電波状況が悪いため視聴できないこともあった。
【０００８】
このような場合、チャンネルを一つ一つ指定して、次々に視聴可能なチャンネルを探すか、或いはテレビの視聴を諦めなければならなかった。
【０００９】
本発明は、視聴可能チャンネルを探す必要の無い携帯機器を提供することを目的としたものである。
【課題を解決するための手段】
【００１０】
そしてこの目的を達成するために本発明は、制御部から選局データを出力してチューナ部でテレビ放送波を順次スキャンし、その時受信した夫々の前記テレビ放送波の電波受信品質の情報をベースバンド処理部から得るとともに、この電波受信品質の情報を複数個並べて表示器に表示するものである。これにより、初期の目的を達成することができる。
【発明の効果】
【００１１】
以上のように本発明は、制御部から選局データを出力してチューナ部でテレビ放送波を順次スキャンし、その時受信した夫々の前記テレビ放送波の電波受信品質の情報をベースバンド処理部から得るとともに、この電波受信品質の情報を複数個並べて表示器に表示するものである。
【００１２】
即ち、以上の構成とすれば、その場所における受信可能な全ての放送局の電波受信品質を同一画面に並べて表示するので、その中から視聴したいチャンネルを容易に選択することができる。
【発明を実施するための最良の形態】
【００１３】
（実施の形態１）
以下、本発明の実施の形態について、図面を用いて説明する。図１は、本実施の形態における携帯機器のブロック図である。図１において、１１はデジタル放送波が入力されるアンテナである（なお、後述する実施の形態４においては、このアンテナ１１にアナログ放送波が入力される）。このアンテナ１１は入力フィルタ１２に接続されている。この入力フィルタ１２の出力は高周波自動利得制御部（以下、ＲＦＡＧＣという）１３を介して同調フィルタ１４に接続されている。
【００１４】
この同調フィルタ１４の出力は混合器１５の一方の入力に接続されるとともに、他方の入力には局部発振器１６の出力が接続されている。また、この局部発振器１６の出力はＰＬＬ（フェーズロックループ）回路１７の一方の入力に接続されており、他方の入力には基準発振器１８が接続されている。そして、このＰＬＬ回路１７の出力は局部発振器１６の入力と同調フィルタ１４の制御端子に接続されている。
【００１５】
また、混合器１５の出力は中間周波数フィルタ（以下、ＩＦフィルタという）１９に接続されている。そして、このＩＦフィルタ１９の出力は中間周波数自動利得制御器（以下、ＩＦＡＧＣという）２０を介してレベル検出器２１に接続されている。このレベル検出器２１の出力はＯＦＤＭ（直交波分割多重）復調器２２の一方の入力に接続されるとともにＲＳＳＩ（電波の受信強度であり、ノイズと信号が合算された値）検出器２３の入力に接続されている。また、レベル検出器２１の出力はＲＦＡＧＣ１３とＩＦＡＧＣ２０の制御端子にも接続されている。
【００１６】
２４は携帯電話用のアンテナであり、携帯電話用送受信部２５を介してＯＦＤＭ復調器２２の他方の入力に接続されている。このＯＦＤＭ復調器２２の出力は誤り訂正回路２６を介して復号回路（デコーダ）２７に接続されている。また、誤り訂正回路２６の出力はＣ／Ｎ（キャリア対ノイズ比）検出器２８にも接続されている。
【００１７】
２９はスピーカであり、復号回路２７の出力に接続されている。このスピーカ２９はイヤホーンであっても良い。また、復号回路２７の出力にはドライバ３０を介して表示器３１が接続されている。この表示器３１には液晶を用いている。なお、これはプラズマディスプレイ、発光ダイオード等であっても良い。
【００１８】
３２は制御器であり、制御バス３３を介して制御ライン３４に接続されている。そして、この制御ライン３４は選局回路３５を介してＰＬＬ回路１７のデータ端子に接続されている。また、ＲＳＳＩ検出器２３の出力とＣ／Ｎ検出器２８の出力は夫々Ａ／Ｄ変換器３６，３７を介して制御ライン３４に接続されている。
【００１９】
また、３８はキーボード（入力部の一例として用いた）であり、制御器３２に接続されている。なお、入力部としてはこの外にライトペン、タッチパネル、音声等も使用することができる。３９はメモリであり、制御器３２に接続されている。
【００２０】
そして、入力フィルタ１２、ＲＦＡＧＣ１３、同調フィルタ１４、混合器１５、局部発振器１６、ＰＬＬ回路１７、基準発振器１８、ＩＦフィルタ１９でチューナ部４１を形成している。ＩＦＡＧＣ２０、レベル検出器２１、ＯＦＤＭ復調器２２、ＲＳＳＩ検出器２３、誤り訂正回路２６、復号回路２７、Ｃ／Ｎ検出器２８でベースバンド処理部４２を形成している。また、制御器３２、制御バス３３、制御ライン３４、選局回路３５、Ａ／Ｄ変換器３６，３７、メモリ３９とで制御部４３を形成している。
【００２１】
また、携帯電話用送受信部２５は、図２に示す構成となっている。即ち、携帯電話用アンテナ２４は送受切替器４５に接続されており、この送受切替部４５の一方の端子は低雑音増幅器４６を介して混合器４７の一方の入力に接続されている。
【００２２】
この混合器４７の他方の入力には局部発振器４８の出力が接続されており、この局部発振器４８には、水晶発振器４９が接続されたＰＬＬ回路５０が接続されている。
【００２３】
混合器４７の出力はバンドパスフィルタ５１を介して混合器５２の一方の入力に接続されている。また、この混合器５２の他方の入力には局部発振器５３の出力が接続されている。そして、混合器５２の出力は復調器５４に接続されており、この復調器５４の出力はベースバンド処理部４２のＯＦＤＭ復調器２２の入力に接続されている。
【００２４】
５５は、マイクロフォンであり、このマイクロフォン５５は変調器５６を介して混合器５７の一方の入力に接続されている。また、この混合器５７の他方の入力には局部発振器４８の出力が接続されている。そして、この混合器５７の出力は電力増幅器５８を介して送受切替器４５の他方の端子に接続されている。
【００２５】
以上のように構成された携帯機器について以下にその動作を説明する。アンテナ１１に入力されたデジタルテレビ電波は、同調フィルタ１４及び混合器１５及びＩＦフィルタ１９で選局される。
【００２６】
即ち、キーボード３８で視聴希望放送のチャンネル番号（放送局名でも良い）が選択されると、その信号は制御器３２から選局回路３５を介して希望チャンネルの選局データが出力され、この選局データはＰＬＬ回路１７に供給される。ＰＬＬ回路１７は局部発振器１６とで閉ループが形成されており、局部発振器１６の発振周波数を基準発振器１８と比較するなかで、局部発振器１６からは希望放送局に対応する周波数を混合器１５に出力する。そして、この局部発振器１６の出力と入力周波数との差で中間周波数（略４５ｋＨｚ）が形成され、ＩＦフィルタ１９を通過させる。また、ＰＬＬ回路１７の出力電圧で同調フィルタ１４の中心周波数を制御して、視聴希望放送波が通過するようにしている。即ち、視聴希望周波数が選択される。
【００２７】
このようにしてチューナ部４１で選択された視聴希望周波数は次のベースバンド処理部４２に入力される。このベースバンド処理部４２では入力された信号から映像信号を復元して表示器３１に表示するものである。このようにして、携帯機器において、希望するテレビ放送を楽しむことができるものである。
【００２８】
また、入力された信号のレベルはレベル検出器２１で検出してＲＦＡＧＣ１３とＩＦＡＧＣ２０の利得を制御するとともに、ＲＳＳＩ検出器２３でそのレベルを検出する。このＲＳＳＩ検出器２３の出力はＡ／Ｄ変換器３６でデジタル量に変換されて制御器３２に入力される。これは、電波の受信強度レベルを検出するものであり、その応答速度が速いという特徴を有する。しかし、ＲＳＳＩ検出器２３の出力はノイズも合算された電波の強さで電波受信品質を評価しているので、例えばノイズの強い信号でも電波受信品質としてあたかも良好な電波受信品質であるごとく高い（良い）値が出力される。
【００２９】
また、入力された信号の誤りは誤り訂正回路２６で訂正している。この誤り訂正回路２６の出力をＣ／Ｎ検出器２８でキャリアとノイズの比を計算する。そして、このＣ／Ｎ検出器２８の出力はＡ／Ｄ変換器３７でデジタル量に変換して制御器３２に入力される。これは、入力された信号の誤りを検出するものであり、その応答速度は遅いがその信号品質をノイズとの関係で検出することができる。従って、例え大きなレベルの信号であってもそのノイズレベルが大きければ、電波受信品質は低い（悪い）値を示す。
【００３０】
このようにして、選局回路３５からは選局データが低次チャンネルから順次ＰＬＬ回路１７に出力される。チューナ部４１で選局されるとアンテナ１１に入力されたテレビ放送波の強度レベルがＲＳＳＩ検出器２３から出力される。また、Ｃ／Ｎ検出器２８からはＣ／Ｎ情報が出力される。なお、後述する実施の形態４では、Ｃ／Ｎ検出器２８から出力されるＣ／Ｎ情報の代わりにＳ／Ｎ（信号対ノイズ比）検出器１２５から出力されるＳ／Ｎ情報を用いる。
【００３１】
また、本実施の形態における携帯機器は、携帯電話としても使用することができる。即ち、図２に示すように、携帯電話用の電波（略８００ＭＨｚ〜２ＧＨｚ）はアンテナ２４で受信され、この電波は混合器４７で局部発振器４８の発振周波数と混合された後、再び混合器５２で局部発振器５３の周波数と混合されてベースバンドに変換された後、復調器５４で復調される。そして、この信号はベースバンド処理部４２を介して、スピーカ２９に出力されるとともに、表示器３１に表示される。
【００３２】
また、マイクロフォン５５に入力された音声は変調器５６で変調された後、混合器５７で局部発振器４８の出力と混合されて搬送波となり、アンテナ２４から放射される。
【００３３】
このように、本実施の形態における携帯機器は、携帯テレビと携帯電話が同一のケースに収納されているので、有用な機器であり便利である。
【００３４】
図３は、制御器３２に接続されたメモリ３９に格納されるスキャン情報のメモリマップである。これは、選局回路３５から選局データを送出してその時その場所において得られた電波受信品質の情報を格納するものである。図３において、６１はチャンネル番号が格納されるチャンネル番号格納領域である。６２は前記チャンネル番号に対応した放送局名が格納されている放送局名格納領域である。
【００３５】
６３，６４，６５はスキャンにより、その時得られた電波受信品質の情報の格納領域であり、夫々の値がチャンネル番号毎に対応して格納される。即ち、６３にはＲＳＳＩ検出器２３で検出されたＲＳＳＩ情報が格納されており、６４にはＣ／Ｎ検出器２８で検出されたＣ／Ｎ情報が格納されている。また、６５にはその時得られた画像情報（１画面の情報）が格納されている。なお、６５には画像情報を格納したアドレスのみを格納して、画像情報はメモリ３９の他の場所に格納しても良い。
【００３６】
次に、図４を用いて電波受信品質情報の表示を説明する。先ず、キーボード３８の中から、チャンネルスキャンボタンを押下７１する。そうすると携帯機器の制御部４３はチューナ部４１の電源をオンして、低位（チャンネル番号の低い）チャンネルから順次選局データを出力７２する。
【００３７】
チューナ部４１では、選局データに該当するチャンネルを選局７３する。これにより、チューナ部４１は選局データに該当するテレビ放送波を選局する。そして、このテレビ放送波の受信信号のレベルに応じたＲＳＳＩ情報がベースバンド処理部４２のＲＳＳＩ検出器２３から出力７４される。
【００３８】
このＲＳＳＩ情報はＡ／Ｄ変換器３６でデジタル量に変換される。そして、メモリ３９にチャンネル番号とともに、ＲＳＳＩ電圧格納領域６３に格納７５される。なお、この時チャンネル番号とともに放送局名も格納される。
【００３９】
同様に、Ｃ／Ｎ検出器２８からＣ／Ｎ情報が送出される。そして、このＣ／Ｎ情報もＡ／Ｄ変換器３７でデジタル量に変換される。そして、メモリ３９のチャンネル番号に関連するＣ／Ｎデータ領域６４に格納７６される。なお、この時選局されたチャンネルの一画面分の画像データも画像データ格納領域６５に格納される。
【００４０】
そして、次にスキャン（掃引）するチャンネルが有るか否かを判定７７する。スキャンするチャンネルがあれば、次の選局データを制御部４３の選局回路３５から出力７８して、ステップ７３の先頭に戻る。ステップ７７でスキャンするチャンネルが無い場合には、メモリ３９の夫々の格納領域からチャンネル番号、放送局名、ＲＳＳＩ情報、Ｃ／Ｎ情報、画像情報の内必要とする情報が制御部４３の制御器３２からドライバ３０に向かって送出７９される。
【００４１】
そして、これらの情報に基づいて、表示器３１にチャンネル番号或いは放送局名とともに、複数個並べて表示８０する。従って、どの放送局の画像を受信することができるか否かを実際に、操作者が順次選局ボタンを押下して確認する必要がない。また、この表示は表示面積の大きさ或いは、色彩でもその電波受信品質の良否の程度を表示することができる。なお、この表示パターンについては後述する。
【００４２】
以上の説明は、標準モードにおける表示であり、ＲＳＳＩ情報のみならずＣ／Ｎ情報も利用しているので、高品質の電波受信品質を表示することができる。なおここで、Ｃ／Ｎ情報を格納７６するステップをスキップすると高速モードになり、高速の表面（標準モードの数倍の速さ）が可能となる。なお、後述する実施の形態４においては、Ｃ／Ｎ情報の代わりにＳ／Ｎ検出器１２５から出力されるＳ／Ｎ情報を用いる。
【００４３】
次に、図５を用いて、視聴希望チャンネルの選択を説明する。先ず、キーボード３８より、希望チャンネル（チャンネル番号でも放送局名でも良い）を選択８１する。
【００４４】
そうすると、制御部４３の選局回路３５からチューナ部４１のＰＬＬ回路１７に向かって選局データが送出８２される、このことにより、チューナ部４１では選局がなされ、視聴希望する放送局の電波が選択される。
【００４５】
そして、選択された放送局の信号はベースバンド処理部４２を介して、表示部３１に表示されるとともに、チャンネル番号或いは放送局名、ＲＳＳＩ情報、Ｃ／Ｎ情報、画像情報が必要に応じて表示８３される。
【００４６】
なお、高速モードでは、Ｃ／Ｎ情報は表示されない。また、実施の形態４においては、Ｃ／Ｎ情報の代わりにＳ／Ｎ情報を用いる。
【００４７】
次に、図６を用いて、視聴停止をする場合を説明する。先ず、キーボード３８より、視聴停止ボタンを押下８４する。そうすると、制御部４３の制御器３２は表示器３１をテレビ視聴前の状態に戻す信号をドライバ３０に向けて出力する。そして、表示器３１の表示をテレビ視聴前の状態８５に戻す。次に、チューナ部４１の電源をオフ８６する。これは省電力化にも効果がある。
【００４８】
（実施の形態２）
実施の形態２においては、本発明の携帯機器のケースへの実装について述べる。図７、図８において、９１は第１のケースで、その上端側にはヒンジ部９２を介して第２のケース９３が開閉自在に設けられている。図７は、第１、第２のケース９１、９３を開放した状態を示している。図８は第２のケース９３が閉成された状態を示しており、第２のケース９３はその下端側のヒンジ部９２を介して第１のケース９１上へ閉成される。この状態においては、第１、第２のケース９１，９３が重合状態となり、コンパクトで携帯性に優れたものとなる。
【００４９】
第１のケース９１内には、図１、図２で示す電話用アンテナ２４、携帯電話用送受信部２５、制御部４３及びマイクロフォン５５が設けられている。
【００５０】
一方、第２のケース９３の第１のケース９１への重合面には、表示器３１が表出して設けられている。また、この表示器３１背面側となる第２のケース９３内には、チューナ部４１、ベースバンド処理部４２、スピーカ２９、テレビ用のアンテナ１１が設けられている。このアンテナ１１は、図示していないが、図７（図８にも示しているが以後図７で代表して説明する）の状態から第２のケース９３外に引き伸ばすことができる。もちろん使用後はこのアンテナ１１を図７に示すごとく、縮めてその大部分を第２のケース９３に収めることができるようになっている。
【００５１】
なお、図８において、９４は第２のケース９３に設けられたサブ表示器である。このサブ表示器９４は、表示器３１が装着された面と反対側の面に表出して装着されている。従って、第２のケース９３は、第１、第２のケース９１，９３を開放した場合には表示器３１が表れ、第１、第２のケース９１，９３を閉成した場合にはサブ表示器９４が表れることになる。
【００５２】
また、第１のケース９１の第２のケース９３側の面には図７に示すごとく各種キーボード３８が設けられており、このキーボード３８の背面側に上記携帯電話用送受信部２５及び制御部４３が設けられている。更に、ヒンジ部９２の第１、第２のケース９１，９３側には夫々シールド面（図示せず）が設けられている。
【００５３】
なお、携帯電話用送受信部２５内には、図２に示すように、携帯電話用復調器５４や変調器５６が設けられている。
【００５４】
図７は、電話をするため、或いはテレビを見るために第２のケース９３を第１のケース９１上に開放した状態を示している。例えば、テレビを見る時を例にして説明すると、先ず、アンテナ１１を第２のケース９３上に引き伸ばし、次に、キーボード３８を操作して、テレビ関係部分を駆動する。
【００５５】
希望するチャンネルは、キーボード３８によって入力されチューナ部４１で選局され、ベースバンド処理部４２を介し、映像は、表示器３１で表示され、音声は、スピーカ２９から放出されることになる。なお、後述する実施の形態４においては、ベースバンド処理部４２の代わりにベースバンド処理部１２０となる。
【００５６】
以上のようにして、使用者はテレビ番組を楽しむことができるが、この時、携帯電話用送受信部２５は、上述したテレビを見る見ないに係らず動作状態にある。即ち、携帯電話用送受信部２５からは、自位置を固定局に定期的に電話用アンテナ２４から電波を発信している。もちろん、通話中には、適宜、送信・受信が電話用アンテナ２４から行われている。
【００５７】
つまり、テレビを見ている時、或いは電話をしている時であってもテレビ機能と電話機能が起動状態にあるのであるが本実施の形態においては、いかなる場合においてもテレビ用信号と電話用信号が混信することが極めて少なく、適切なテレビ視聴・通話が楽しめるものである。
【００５８】
その理由の一つとしては、携帯電話用送受信部２５を第１のケース９１内に、また、チューナ部４１を第２のケース９３に分離して配置したからである。つまりこのように分離して配置すれば、携帯電話用送受信部２５と、チューナ部４１の物理的距離が遠くなり、この結果として、両者間における混信が極めて少なくなる。
【００５９】
また、このように、携帯電話用送受信部２５とチューナ部４１を第１、第２のケース９１，９３に分離しただけではなく、ヒンジ部９２の両側にシールド面を設けたことで、更にこれらの両者間の混信が少なくなるものである。
【００６０】
また、このようにシールド面を設けた結果、テレビ用のアンテナ１１と電話用アンテナ２４の受信感度を高めることができるようになる。これは、アースの強化に伴うミラー効果によるものである。
【００６１】
なお、上記実施の形態においては、第１、第２のケース９１，９３をヒンジ部９２を介して開閉自在とすることによって、第１、第２のケース９１，９３の重合状態から非重合状態への形態変化をさせたが、第１、第２のケース９１，９３の何れか一方をスライドさせることによって、重合状態、非重合状態を形成するようにしても良い。更に、第１、第２の何れか一方を水平方向に開閉することによって、重合状態、非重合状態を形成しても良い。
【００６２】
（実施の形態３）
実施の形態３では、本発明の携帯機器における電波受信品質の表示について述べる。図９から図１３はサブ表示器９４に表示される画面１０１の例である。
【００６３】
図９は、サブ表示器９４の待ち受け時の画面１０１を示す。この状態において、キーボード３８のチャンネルスキャンボタン９５（図８参照）を押下すると図４のフローチャートで説明したように低位のチャンネルからスキャンを開始し、その時のその場所における電波受信品質を図１０のように帯状に表示する。
【００６４】
なお、第１、第２のケース９１，９３を閉成した状態で操作できるように、チャンネルスキャンボタン９５は第２のケース９３のサブ表示器９４側に設けられている。また、第１、第２のケース９１，９３を開放した場合には、チャンネルスキャンボタン９５ａは第１のケース９１のキーボード３８側に設けている。しかしこれは、キーボード３８で代用することもできる。
【００６５】
図１０において、１０２は低位チャンネルから一例に並んだチャンネル番号である。そして、このチャンネル番号１０２に対応して、その場所におけるその時の電波受信品質１０３を示している。この電波受信品質１０３は棒グラフ状に表示している。即ち、電波受信品質１０３が良いほど表示面積を大きくしている。
【００６６】
図１０においては、ＣＨ１５が一番表示面積が大きく電波受信品質１０３が良いことを示している。また。ＣＨ１８は表示されていない。即ち、この場所においてはＣＨ１８は受信できないことを示している。
【００６７】
この画面１０１において、電波受信品質１０３ａは何とか受信できる状態を示し、電波受信品質１０３ｂは普通に受信できる状態を示している。また、電波受信品質１０３ｃは良好に受信できる状態を示している。なお、電波受信品質１０３ａ，１０３ｂ，１０３ｃに応じて色彩を変えても良い。例えば、電波受信品質１０３ａは赤、電波受信品質１０３ｂは黄、電波受信品質１０３ｃは青にしておけば色彩のみで、電波受信品質１０３を表示することができる。
【００６８】
この状態において、チャンネルスキャンボタン９５を押下すると図１１に示すようにカーソル１０４が押下の度に順次移動する。そして、視聴したいチャンネルで長く押下すると図１２に示すように、画面１０１にテレビ画面１０５が表示される。
【００６９】
なお、図１３に示すように、電波受信品質を静止画像としてサムネイル表示１０６しても良い。また、第２のケース９３を開放すれば、このサブ表示器９４の表示は表示器３１に切り替わる。表示器３１はサブ表示器９４に比べて大画面である。
【００７０】
図１４は、第２のケース９３を開放した場合であり、電波受信品質１０３とテレビ画像とは表示器３１に同時に表示される。即ち、画面１１０の上方１１１はテレビ放送の画像が表示される位置であり、下方の１１２にはチャンネル番号が表示され、このチャンネル番号１１２の上方１１３にはチャンネル番号に対応した電波受信品質１０３が表示される。これは、サブ表示器９４での表示と同じである。なお、この時の操作は、チャンネルスキャンボタン９５ａのみならずキーボード３８で行なうこともできる。
【００７１】
この状態において、チャンネルスキャンボタン９５ａを押下すると図１５に示すようにカーソル１１４が押下の度に順次移動する。そして、視聴したいチャンネルにカーソル１１４を移動したら、その位置でチャンネルスキャンボタン９５ａを長く押下すると図１６に示すように、画面１１０にテレビ画面１１５が表示される。
【００７２】
この時下方１１６には、受信しているチャンネル番号と電波受信品質１０３を表示している。なお、これは図１５に示すように全てのチャンネル番号と電波受信品質１０３を表示しても良い。
【００７３】
また、この携帯機器は電波受信品質１０３を表示しているので、例え電波受信品質１０３が悪くても、携帯機器を移動することにより、目視しながら電波受信品質１０３を良化させることができる。
【００７４】
（実施の形態４）
図１７は本発明の実施の形態４における携帯機器のブロック図である。実施の形態４は、アナログ放送波を受信するものであり、ベースバンド処理部１２０が実施の形態１と異なる。従って、ベースバンド処理部１２０とその周辺のみを説明する。なお、実施の形態１と同じ構成には、同番号を付して説明を簡略化している。
【００７５】
図１７において、アンテナ１１にはアナログ放送波が入力され、このアナログ放送波はチューナ部４１に入力される。このチューナ部４１の出力は、ＩＦＡＧＣ２０に接続されている。また、このＩＦＡＧＣ２０の出力は、レベル検出器２１に接続され、このレベル検出器２１の出力は映像検波器１２１に接続されるとともに、ＲＳＳＩ検出器２３に接続されている。
【００７６】
また、映像検波器１２１の出力はビデオ信号処理器１２２を介してドライバ３０に接続されている。このようにして映像が表示される。また、音声に関しては映像検波器１２１の出力が音声検波器１２３に接続され、その出力は音声信号処理器１２４を介してスピーカ２９に接続されている。
【００７７】
また、映像検波器１２１の出力はＳ／Ｎ検出器１２５に接続され、その出力はＡ／Ｄ変換器３７に接続されている。また、携帯電話用送受信部２５の出力は映像検波器１２１の入力に接続されている。
【００７８】
ここでベースバンド処理部１２０は、ＩＦＡＧＣ２０、レベル検出器２１、ＲＳＳＩ検出器２３、映像検波器１２１、ビデオ信号処理器１２２、音声検波器１２３、音声信号処理器１２４、Ｓ／Ｎ検出器１２５で構成されている。
【００７９】
本実施の形態によるベースバンド処理部１２０と実施の形態１のベースバンド処理部４２の双方を同一ケース内に実装することもできる。そうすれば、スイッチにより切り替えることでデジタル放送と、アナログ放送の両方を受信することができる。
【００８０】
なお、動作については実施の形態１と略同様である。しかし、電波受信品質の抽出として、実施の形態１ではＣ／Ｎ情報を用いていることに対し、実施の形態４ではＳ／Ｎ情報を用いている点で相違する。なお、ＲＳＳＩ情報の抽出については実施の形態１と同様である。
【産業上の利用可能性】
【００８１】
本発明にかかる携帯機器は、視聴可能チャンネルを探す必要が無いので、テレビ機能付き携帯機器として有用である。
【図面の簡単な説明】
【００８２】
【図１】本発明の実施の形態１における携帯機器のブロック図
【図２】同、携帯電話用送受信部のブロック図
【図３】同、メモリマップを示す図
【図４】同、チャンネルスキャンのフローチャート
【図５】同、チャンネル選局のフローチャート
【図６】同、視聴停止のフローチャート
【図７】実施の形態２における携帯機器の開放時の斜視図
【図８】同、閉成時の斜視図
【図９】実施の形態３における携帯機器のサブ表示器による第１の状態図
【図１０】同、第２の状態図
【図１１】同、第３の状態図
【図１２】同、第４の状態図
【図１３】同、他の例におけるサブ表示器の状態図
【図１４】同、表示器による第１の状態図
【図１５】同、第２の状態図
【図１６】同、第３の状態図
【図１７】実施の形態４における携帯機器のブロック図
【図１８】従来の携帯機器の平面図
【図１９】同、ブロック図
【符号の説明】
【００８３】
１１  アンテナ
３０  ドライバ
３１  表示器
３８  キーボード
３９  メモリ
４１  チューナ部
４２  ベースバンド処理部
４３  制御部
９１  第１のケース
９３  第３のケース
１０３  電波受信品質
【図１】
2005328246.tif 000003
【図２】
2005328246.tif 000004
【図３】
2005328246.tif 000005
【図４】
2005328246.tif 000006
【図５】
2005328246.tif 000007
【図６】
2005328246.tif 000008
【図７】
2005328246.tif 000009
【図８】
2005328246.tif 000010
【図９】
2005328246.tif 000011
【図１０】
2005328246.tif 000012
【図１１】
2005328246.tif 000013
【図１２】
2005328246.tif 000014
【図１３】
2005328246.tif 000015
【図１４】
2005328246.tif 000016
【図１５】
2005328246.tif 000017
【図１６】
2005328246.tif 000018
【図１７】
2005328246.tif 000019
【図１８】
2005328246.tif 000020
【図１９】
2005328246.tif 000021